(57)【要約】【課題】顔など各種の部位を手軽にマッサージすることができるマッサージ装置を提供する。【解決手段】パッド１を体表面Ｆに密着させ、始動スイッチをＯＮにすると、ポンプ２２及び加圧空気供給機３３が始動する。これにより、温水タンク２１内の温水がフィルタ２３、配管１３、流量調節バルブ１１を介してノズル３に供給され、ノズル３から体表面Ｆに向って噴出され、体表面のマッサージが行われる。体表面Ｆに当った水は、空気孔５から吸引される空気と共に、パッド１の流出口４から配管１４を介してエゼクタ３４に吸引され、温水タンク２１へ返送される。手以外の体表面であってもマッサージを手軽に行うことができる。【選択図】図２
2010051529.tif 000002
【特許請求の範囲】
【請求項１】
使用者の体表面に当接されるパッドであって、該体表面とパッドとで囲まれる空室を形成するパッドと、
該空室内から該体表面に向って液を噴出するノズルと、
該ノズルに液を供給する給液手段と、
該空室内を吸引する吸引手段と
を有するマッサージ装置。
【請求項２】
請求項１において、前記パッドは軟質材料よりなり、体表面に密着可能となっていることを特徴とするマッサージ装置。
【請求項３】
請求項１又は２において、前記パッドに流出口と空気流入孔とが設けられており、該流出口に吸引用配管を介して前記吸引手段が接続されていることを特徴とするマッサージ装置。
【請求項４】
請求項１ないし３のいずれか１項において、前記給液手段は、温液と冷液とを供給可能であることを特徴とするマッサージ装置。
【請求項５】
請求項１ないし４のいずれか１項において、前記吸引手段で吸引した液を浄化処理手段で浄化処理し、前記ノズルに供給するように構成されていることを特徴とするマッサージ装置。
【発明の詳細な説明】
【技術分野】
【０００１】
本発明は、顔などの体表面に液を当ててマッサージするマッサージ装置に関する。
【背景技術】
【０００２】
手に水を当てて手をマッサージするマッサージ器として、特開平１０−２６３０３２号公報に記載されたものがある。
【０００３】
同号公報のマッサージ器は、内部にシャワー室を有しており、側面に該シャワー室内への手の挿入口が設けられた容器（同号公報では呼称なし。）と、該容器内に設置された貯水タンク及び湯沸装置と、シャワー室の天井面に設置された、該湯沸装置からの温水を下方に向って噴出するシャワー等を備えている。
【０００４】
同号公報のマッサージ器により手をマッサージする場合には、手を容器の側面の挿入口からシャワー室内に差し込み、シャワーから噴出した温水を手に当てて手をマッサージする。
【特許文献１】特開平１０−２６３０３２号公報
【発明の開示】
【発明が解決しようとする課題】
【０００５】
上記特開平１０−２６３０３２号公報のマッサージ器にあっては、シャワー室内に差し込んだ手にシャワーからの噴出水を当ててマッサージを行うようにしており、手についてはマッサージを行うことが可能であるが、顔などの部位についてはマッサージを行うことができない。
【０００６】
本発明は、顔など各種の部位を手軽にマッサージすることができるマッサージ装置を提供することを目的とする。
【課題を解決するための手段】
【０００７】
本発明（請求項１）のマッサージ装置は、使用者の体表面に当接されるパッドであって、該体表面とパッドとで囲まれる空室を形成するパッドと、該空室内から該体表面に向って液を噴出するノズルと、該ノズルに液を供給する給液手段と、該空室内を吸引する吸引手段とを有するものである。
【０００８】
請求項２のマッサージ装置は、請求項１において、前記パッドは軟質材料よりなり、体表面に密着可能となっていることを特徴とするものである。
【０００９】
請求項３のマッサージ装置は、請求項１又は２において、前記パッドに流出口と空気流入孔とが設けられており、該流出口に吸引用配管を介して前記吸引手段が接続されていることを特徴とするものである。
【００１０】
請求項４のマッサージ装置は、請求項１ないし３のいずれか１項において、前記給液手段は、温液と冷液とを供給可能であることを特徴とするものである。
【００１１】
請求項５のマッサージ装置は、請求項１ないし４のいずれか１項において、前記吸引手段で吸引した液を浄化処理手段で浄化処理し、前記ノズルに供給するように構成されていることを特徴とするものである。
【発明の効果】
【００１２】
本発明のマッサージ装置にあっては、パッドを体表面に当て、ノズルから液を体表面に噴出し、マッサージを行う。本発明では、このようにパッドを体表面に当て、該パッド内の空室にて液を噴出させるので、液が周囲に飛び散ることがない。そのため、顔や腕、肩、腰など手以外の部位についても手軽にマッサージを行うことができる。
【００１３】
このパッドを軟質材料にて構成し、体表面に密着させることにより、マッサージ中にパッドから液が漏れ出すことが防止される。
【００１４】
このパッドに設けた流出口から液を吸引排出する場合、パッドに空気流入孔を設けておくと、吸引時に空気が空室内に流入するので、空室内の液を空気と共に効率よく吸引排出することができる。また、パッドが体表面に過度に強力に吸い付くことも防止される。
【００１５】
本発明では、ノズルから温液と冷液とのいずれをも噴出可能とし、例えば温液と冷液とを交互に噴出することにより、マッサージ効果を高めることができる。
【００１６】
本発明では、パッドから吸引した液を浄化処理して再度ノズルに供給することにより、液の使用量を節約することができる。また、マッサージ装置を給水設備のない箇所に設置することも可能となる。
【発明を実施するための最良の形態】
【００１７】
以下、図面を参照して実施の形態について説明する。
【００１８】
第１図は実施の形態に係るマッサージ装置のフロー図、第２図はマッサージ装置のパッド付近の断面図、第３図はパッドの斜視図、第４図はマッサージ装置の全体図である。
【００１９】
第２図の通り、パッド１は体表面（この実施の形態では顔面側部）Ｆに押し当てて使用されるものである。パッド１は軟質ゴム又は合成樹脂（例えばシリコーン樹脂）製のものであり、複数の蛇腹部１ａ，１ｂを有し、体表面Ｆに柔軟に密着可能となっている。
【００２０】
パッド１は、内部が空洞状となっており、体表面Ｆに押し当てると、パッド１と体表面Ｆとによって囲まれた空室２が形成される。
【００２１】
この空室２内に、体表面Ｆに向って水を噴出するようにノズル３が設けられている。パッド１には、この水を流出させるための流出口４が設けられると共に、水の吸引排出時に空室２内に空気を流入させるように空気流入孔（以下、空気孔と略）５が設けられている。
【００２２】
パッド１の後端側は筒状部６となっており、この筒状部６に円筒状のグリップ１０が嵌着されている。この実施の形態では、グリップ１０の先端が筒状部６内に差し込まれることにより固定されている。
【００２３】
グリップ１０内には流量調節バルブ１１が設置されており、この流量調節バルブ１１の流量調節ダイヤル１１ａがグリップ１０の外面に配置されている。前記ノズル３は、その後端がこの流量調節バルブ１１に接続され、先端が空室２内に突出している。
【００２４】
グリップ１０の後端には柔軟に屈曲可能なゴム又は合成樹脂製のホース１２が接続されている。このホース１２内に給水配管１３と排水配管１４が引き通されている。給水配管１３は、グリップ１０内の流量調節バルブ１１に接続されている。排水配管１４は、グリップ１０の筒壁を通ってパッド１の流出口４に接続されている。
【００２５】
第１図及び第４図の通り、マッサージ装置のマシンケーシング２０内に温水タンク２１が設置されており、温水タンク２１内の温水がポンプ２２、水浄化処理用のフィルタ２３を介して給水配管１３に供給される。なお、フィルタ２３の出口側は、リリーフバルブ２４を有したリリーフ配管２５を介して温水タンク２１に接続されており、所定圧の温水がフィルタ２３、配管１３、流量調節バルブ１１を介してノズル３に供給されるように構成されている。
【００２６】
温水タンク２１には水位センサ２６が設けられ、所定水位となるように給水弁２７を介して水道水などの給水が導入可能とされている。なお、水は水道水に限定されるものではなく、薬剤や芳香剤などを添加した液であってもよい。
【００２７】
温水タンク２１の下部にはヒータ２８及び温度センサ２９が設けられており、温水タンク２１内に所定温度の温水が貯留されるよう構成されている。温水タンク２１の下部には、排水バルブ３１を有した排出配管３０が接続されている。
【００２８】
前記排水配管１４の末端は、マシンケーシング２０内に設置された吸引手段としてのエゼクタ３４の吸引部に接続されている。このエゼクタ３４の作動流体流入口にはコンプレッサ等の加圧空気供給機３３から加圧空気が導入され、配管１４を介してパッド１内の水を吸引し、配管３５を経て温水タンク２１へ返送するよう構成されている。温水タンク２１の頂部の空気逃がし口には水滴捕集部３６が設けられている。
【００２９】
第４図の通り、ケーシング２０のスイッチパネル３７には、始動・停止操作スイッチのほか、作動時間設定スイッチ、作動形態選択スイッチ、ノズル噴出水量、温水温度等を調節するための各種スイッチや、動作状態を表示するランプ、インジケータ等が設けられている。ケーシング２０内にはホース１２の巻取機構が設けられており、必要な長さだけホース１２を引き出して使用することが可能となっている。ホース１２をすべて巻き取ったときにパッド１及びグリップ１０がケーシング２０内に収容されるようにしてもよい。この場合、収容したパッド１及びグリップ１０を隠すカバーを設けてもよい。
【００３０】
このように構成されたマッサージ装置において、パッド１を体表面Ｆに密着させ、始動スイッチをＯＮにすると、ポンプ２２及び加圧空気供給機３３が始動する。これにより、温水タンク２１内の温水がフィルタ２３、配管１３、流量調節バルブ１１を介してノズル３に供給され、ノズル３から体表面Ｆに向って噴出され、体表面Ｆに噴出水が当ってマッサージが行われる。体表面Ｆに当った水は、空気孔５から吸引される空気と共に、パッド１の流出口４から配管１４を介してエゼクタ３４に吸引され、温水タンク２１へ返送される。
【００３１】
このようにして、体表面Ｆのツボ等がノズル噴出水でマッサージされる。なお、マッサージの強さをダイヤル１１ａによって調節することができる。この実施の形態では、水の噴出は空室２内でのみ行われ、パッド１外には飛散しないので、手以外の体表面であってもマッサージを手軽に行うことができる。この実施の形態のマッサージ装置は、特に顔面や首などのマッサージを行うのに好適である。
【００３２】
また、この実施の形態では、ケーシング２０内に温水タンク２１を設置し、噴出水を該温水タンク２１に戻して再度噴出水として利用するので、節水になると共に、水道の蛇口や排水設備が無い箇所にマッサージ装置を設置することができる。この実施の形態では、パッド１に空気孔５を設けているので、パッド１内の水が空気と共にスムーズに配管１４へ流出する。また、パッド１内が過度に減圧状態となることがなく、パッド１が過度に強く体表面に吸い付くことも防止される。
【００３３】
この実施の形態では、ノズル３から温水を噴出するので、使用者に突然に冷水（例えば常温水）が噴出されることがなく、快適に使用することができる。ただし、夏季などにあっては、温水の代わりに室温程度の温度の常温水を噴出するようにしてもよく、場合によっては冷却器を組み込んで低温水を噴出するようにしてもよい。
【００３４】
また、本発明では、温水と冷水（常温水や冷たい低温水）とを交互に噴出し、マッサージ効果を高めるようにしてもよい。噴出水量を周期的に増減させてもよい。
【００３５】
上記実施の形態では、１台のマシンケーシング２０に１組のパッド１及びホース１２が接続されているが、複数組のパッド及びホースを接続してもよい。
【００３６】
この実施の形態では、使用する液は水道水でよく、使用後の水は下水に流すことができる。また、家庭や事務所の電源で使用でき、ランニングコストが安い。
【００３７】
この実施の形態のマッサージ装置は、コンパクトで軽量となるため、手軽に移動させることができる。なお、マシンケーシング２０にキャスタを設け、移動させ易くしてもよい。
【００３８】
この実施の形態によれば、水に香りや天然素材の既知の薬効成分を加えることにより、温水加圧水のツボ刺激効果以上の付加的な効果を期待することもできる。
【００３９】
上記実施の形態では、流量調節バルブ１１を閉めてノズル３への温水の流れを止めた場合には、温水タンク２１内の温水がポンプ２２、水浄化用のフィルタ２３、リリーフバルブ２４を有したリリーフ配管２５を介して温水タンク２１に戻るラインを循環するため、温水タンク２１内の温水がフィルタ２３により清浄に保たれる。
【００４０】
なお、上記のフィルタ２３のフィルタエレメントは定期的に交換するのが好ましい。フィルタの代わりに又はフィルタと共に、その他の浄化手段（例えば紫外線殺菌器など）を設けてもよい。フィルタとしては、不織布、スポンジ等の濾材のほか、活性炭など各種のものを用いることができる。
【００４１】
本発明では、メンテナンスの為に、洗浄液タンクを設置し、スイッチパネル３７のメンテナンススイッチを押すと自動洗浄が始まり、装置内の洗浄が行われるよう構成してもよい。この場合、使用後の洗浄液を配管３０から排出する。
【図面の簡単な説明】
【００４２】
【図１】実施の形態に係るマッサージ装置のフロー図である。
【図２】マッサージ装置のパッド付近の断面図である。
【図３】パッドの斜視図である。
【図４】マッサージ装置の全体図である。
【符号の説明】
【００４３】
１  パッド
２  空室
３  ノズル
５  空気流入孔（空気孔）
１０  グリップ
１１  流量調節バルブ
１２  ホース
２１  温水タンク
２２  ポンプ
２３  フィルタ
２８  ヒータ
３４  エゼクタ
【図１】
2010051529.tif 000003
【図２】
2010051529.tif 000004
【図３】
2010051529.tif 000005
【図４】
2010051529.tif 000006